(57)【要約】【課題】  無線信号の受信時だけでなく、送信する際にも第３世代携帯電話の帯域に妨害波を発生させないことを低コストで実現する無線通信装置を提供する。【解決手段】  本発明は無線通信装置に関する。そして、本発明の無線通信装置は、１又は複数のアンテナを備えるアンテナ部と、アンテナ部のアンテナを用いて無線信号の送受信を行う送受信回路と、特定の周波数帯のみを通過させるフィルタと、アンテナ部のアンテナと送受信回路との間の経路を、フィルタが挿入された第１の経路と、フィルタが挿入されない第２の経路のいずれかに切替えることができる切替手段と、切替手段を制御する切替制御手段とを有することを特徴とする。【選択図】      図１
2017046237.tif 000002
【特許請求の範囲】
【請求項１】
１又は複数のアンテナを備えるアンテナ部と、
前記アンテナ部のアンテナを用いて無線信号の送受信を行う送受信回路と、
特定の周波数帯のみを通過させるフィルタと、
前記アンテナ部のアンテナと前記送受信回路との間の経路を、前記フィルタが挿入された第１の経路と、前記フィルタが挿入されていない第２の経路のいずれかに切替えることができる切替手段と、
前記切替手段を制御する切替制御手段と
を有することを特徴とする無線通信装置。
【請求項２】
前記アンテナ部で受信する波において、希望波に対する妨害波の有無を判断する妨害波判断手段と、
上記切替制御手段は、前記妨害波判断手段の判断結果を考慮して、前記第１の経路と前記第２の経路のいずれを適用するか判断し、その判断結果に従って前記切替手段を制御する
ことを特徴とする請求項１に記載の無線通信装置。
【請求項３】
前記フィルタを用いた無線信号受信の要否を示す設定値を保持する設定保持手段をさらに備え、
前記切替制御手段は、前記設定保持手段が保持する設定値を考慮して、前記第１の経路と前記第２の経路のいずれを適用するか判断し、その判断結果に従って前記切替手段を制御する
ことを特徴とする請求項１又は２に記載の無線通信装置。
【発明の詳細な説明】
【技術分野】
【０００１】
この発明は、無線通信装置に関し、例えば、９２０ＭＨｚ帯特定小電力無線局としての無線通信装置に適用し得る。
【背景技術】
【０００２】
従来の近距離無線通信を行う無線通信装置（特に９２０ＭＨｚ帯で使用する無線通信装置）に搭載される無線通信回路は、通常、電波を送信又は受信する２つのアンテナ部、無線信号の送受信を行うためのＲＦＩＣ（Ｒａｄｉｏ  Ｆｒｅｑｕｅｎｃｙ  Ｉｎｔｅｇｒａｔｅｄ  Ｃｉｒｃｕｉｔｓ）、送受信の切替及び２つのアンテナ切替を行うＲＦＳＷ（Ｒａｄｉｏ  Ｆｒｅｑｕｅｎｃｙ  ＳＷｉｔｃｈ）、及びＲＦＩＣ等の動作の基準となる信号を発振する発振器（例えば、水晶振動子）を有している。
【０００３】
ところで、日本では、周波数再編に伴い、２０１２年７月２５日から、もともと９５０ＭＨｚ帯で使用していた特定小電力機器（ＲＦＩＤ）の帯域が、９２０ＭＨｚ帯へ移行し、図５に示すように各通信キャリアに各周波数帯域が割り当てられている。特に、図５に示す通り、９２０ＭＨｚ帯の周辺（８００ＭＨｚ〜１ＧＨｚ）は、主に第３世代携帯電話の用途に割り当てられている。
【０００４】
ここで「上り」とは、移動局（端末）から固定局（基地局）への通信で使用する周波数で、「下り」は固定局（基地局）から移動局（端末）への通信で使用する周波数である。
【０００５】
移動局は移動して使われるため、同一の場所において、常時電波を発射することは稀と考えられる。一方、固定局（基地局）は同一場所で電波を発射するため、９２０ＭＨｚ帯のネットワークを構築する際、近くに基地局があれば、常に干渉を受けることになる。実際にある場所で第３世代携帯電話帯域の電波強度を測定した結果が図６である。図６に示す測定結果では、Ａ社の下りの電波が、約−３０ｄＢｍであった。
【０００６】
ここで、従来の９２０ＭＨｚ帯のネットワークで用いられる無線通信装置に用いられるＲＦＩＣのブロッキング特性（ＬＳＩとして、他周波数帯の電波を除去する能力を示す値）が５５ｄＢ程度であるものとする。そして、携帯電話の固定局（基地局）の周辺において、当該無線通信装置を用いて、−９０ｄＢｍ程度の受信レベルで、９２０ＭＨｚ帯のネットワークを構築する場合を想定する。この場合、当該９２０ＭＨｚ帯のネットワークを構成する無線通信装置にとって、Ａ社の電波は、−８５ｄＢｍ（−３０ｄＢｍ−５５ｄＢ）に見えるため９２０ＭＨｚ帯で通信しようとする電波に対し妨害波として存在することになる。すなわち、この場合、当該９２０ＭＨｚ帯のネットワークを構成する無線通信装置にとって、希望波である９２０ＭＨｚ帯の信号レベルが低下する現象（いわゆる「感度抑圧現象」）が起こる。その結果、当該９２０ＭＨｚ帯のネットワークを構成する無線通信装置では、９２０ＭＨｚ帯の通信不可、又は不安定という問題が発生するおそれがある。
【０００７】
従来、周囲の妨害波の中でも通信を行う無線通信技術としては、例えば、特許文献１の記載技術がある。
【０００８】
特許文献１に記載された無線通信装置では、周囲の妨害波の検出状況に応じて回路の経路を変更させ妨害波の除去を行うことについて記載されている。
【先行技術文献】
【特許文献】
【０００９】
【特許文献１】特開２０１１−１４６９４６号公報
【発明の概要】
【発明が解決しようとする課題】
【００１０】
しかしながら、特許文献１の記載技術では、無線信号を受信する際に必要に応じて妨害波の除去を行うことはできるが、無線信号を送信する際の妨害波（例えば、他の９２０ＭＨｚ帯のネットワークを構成する無線通信装置にとっての希望波に対する妨害波）の除去を行うことはできない。
【００１１】
また、９２０ＭＨｚ帯の無線通信装置は、ユビキタスネットワーク等に多数のノードを安価に提供することが期待されるため、上述のような妨害波の除去機能も含めて安価に実現することが求められる。
【００１２】
そのため、無線信号の受信時だけでなく、送信する際にも妨害波を発生させないことを低コストで実現することができる無線通信装置が望まれている。
【課題を解決するための手段】
【００１３】
本発明の無線通信装置は、（１）１又は複数のアンテナを備えるアンテナ部と、（２）前記アンテナ部のアンテナを用いて無線信号の送受信を行う送受信回路と、（３）特定の周波数帯のみを通過させるフィルタと、（４）前記アンテナ部のアンテナと前記送受信回路との間の経路を、前記フィルタが挿入された第１の経路と、前記フィルタが挿入されていない第２の経路のいずれかに切替えることができる切替手段と、（５）前記切替手段を制御する切替制御手段とを有することを特徴とする。
【発明の効果】
【００１４】
本発明によれば、無線信号の受信時だけでなく、送信する際にも第３世代携帯電話の帯域に妨害波を発生させないことを低コストで実現する無線通信装置を提供することができる。
【図面の簡単な説明】
【００１５】
【図１】実施形態に係る無線通信装置の機能的構成について示したブロック図である。
【図２】実施形態に係るＲＦＩＣ内部の受信系の機能的構成について示したブロック図である。
【図３】実施形態に係るＲＦＩＣが出力する制御信号のレベルと、各ＲＦＳＷに供給される制御信号の関係を状態遷移図の形式で示した図である。
【図４】実施形態に係る無線通信装置の動作例について示したフローチャートである。
【図５】従来の９２０ＭＨｚ帯周辺の電波割当について示した説明図である。
【図６】従来の９２０ＭＨｚ帯周辺の電波受信強度の測定値の例を示した説明図である。
【発明を実施するための形態】
【００１６】
（Ａ）主たる実施形態
以下、本発明による無線通信装置の一実施形態を、図面を参照しながら詳述する。
【００１７】
（Ａ−１）実施形態の構成
図１は、この実施形態の無線通信装置１の全体構成を示すブロック図である。
【００１８】
この実施形態の例では、無線通信装置１は、９２０ＭＨｚ帯の特定小電力無線局として機能する装置であるものとする。
【００１９】
無線通信装置１は、ＲＦＩＣ１０、ＲＦＳＷ２０、３０、メインのアンテナ５０、サブのアンテナ４０、ＥＸＯＲ（ＥＸＯＲゲート；排他的論理和回路）８０、９０、インバータ（ＮＯＴゲート）１００、１１０、ＬＰＦ１２０、ＢＰＦ１３０、及びＦＥＴ１４０を有している。
【００２０】
また、無線通信装置１は、装置内の各構成要素を制御する制御手段（コンピュータ）として、制御部３００を有している。制御部３００は、ＣＰＵ６０及びメモリ７０を用いて構成されているものとする。なお、この実施形態では、制御部３００の内部は全てソフトウェア的に構成されているものとして説明するが、一部又は全部をハードウェア（例えば、専用の半導体チップや電気回路等）を用いて構成するようにしてもよい。
【００２１】
メモリ７０は、ＣＰＵ６０が実行するプログラムや各種データ等を記憶する記憶手段である。メモリ７０のハードウェア構成は限定されないものであるが、例えば、揮発メモリ（例えば、ＤＲＡＭやＳＲＡＭ等）と不揮発メモリ（例えば、ＥＥＰＲＯＭやＦＬＡＳＨメモリ等）を含む構成としてもよいし、不揮発メモリ（例えば、ＦＬＡＳＨメモリ）だけで構成するようにしてもよい。この実施形態では、メモリ７０にはプログラム７１が記憶（インストール）されているものとする。ＣＰＵ６０は、メモリ７０上のプログラム７１（ソフトウェア）を実行することで、各構成要素（ＲＦＩＣ１０、インバータ１００、１１０、ＥＸＯＲ８０、９０等）の制御（制御信号の出力）を行う。
【００２２】
送受信回路としてのＲＦＩＣ１０は、アンテナ４０、５０を用いた無線信号の送受信を行うＩＣである。ＲＦＩＣ１０としては、例えば、種々の９２０ＭＨｚ帯の特定小電力無線局に対応する無線通信ＬＳＩ（例えば、ＩＥＥＥ  ８０２．１５．４ｇ及びＡＲＩＢ  ＳＴＤ−１０８に準拠した無線通信ＬＳＩ）を適用することができる。
【００２３】
無線通信装置１では、ＲＦＩＣ１０に２つのＲＦＳＷ２０、３０（ＤＰＤＴ−ＳＷ）を接続し、一方のＲＦＳＷ２０を送受信及び経路切替用のスイッチ（ＴＲＸ−ＳＷ）として適用し、他方をアンテナ切替用のスイッチ（ＡＮＴ−ＳＷ）として適用している。
【００２４】
ＲＦＩＣ１０の信号送信用のラインは、ＬＰＦ１２０を介して、ＲＦＳＷ２０の一方の端子（ＯＵＴ１）に接続されている。ＲＦＩＣ１０の信号受信用のラインは、ＲＦＳＷ２０の他方のポート（ＯＵＴ２）に接続されている。
【００２５】
ＲＦＳＷ３０の一方の端子（ＡＮＴ１）には、サブのアンテナ４０が接続されている。また、ＲＦＳＷ３０の他方の端子（ＡＮＴ２）には、メインのアンテナ５０が接続されている。
【００２６】
ＢＰＦ１３０は、ＲＦＩＣ１０が送受信する信号から、特定の周波数帯を抽出するフィルタ（バンドパスフィルタ）である。この実施形態の例では、ＢＰＦ１３０は、９２０ＭＨｚ帯（９２０．７〜９２７．９ＭＨｚ）を特定の周波数帯（希望波）として抽出する構成であるものとする。
【００２７】
無線通信装置１では、２つのＲＦＳＷ２０、３０の間の一方の経路（ライン）にＢＰＦ１３０を挿入（配置）した構成としている。具体的には、ＲＦＳＷ２０、３０の間の２つの経路のうち一方の経路にのみＢＰＦ１３０を挿入している。これにより、ＲＦＳＷ２０、３０間の経路をスルーのポート（ＢＰＦ１３０を通らないポート）とＢＰＦ１３０を通るポートの２つのポートを切り替えて使用できるようにしている。ＲＦＳＷ２０の一方の端子（ＡＮＴ１）は、直接ＲＦＳＷ３０の一方の端子（ＯＵＴ１）に直接接続されている。また、ＲＦＳＷ２０の他方の端子（ＡＮＴ２）は、ＢＰＦ１３０を介して、ＲＦＳＷ３０の他方の端子（ＯＵＴ２）に接続されている。すなわち、無線通信装置１では、ＲＦＳＷ２０のＡＮＴ２端子と、ＲＦＳＷ３０のＯＵＴ２端子との間の経路が、ＢＰＦ１３０が挿入された第１の経路として構成されている。また、無線通信装置１では、ＲＦＳＷ２０のＡＮＴ１端子と、ＲＦＳＷ３０のＯＵＴ１端子との間の経路が、ＢＰＦ１３０が挿入されない第２の経路として構成されている。
【００２８】
無線通信装置１では、２つのＲＦＳＷ２０、３０を制御する制御ラインとして、ＲＦＩＣ１０のＴＲＸライン、ＡＮＴライン、ＤＣＮＴラインの３本が使用されている。そして、無線通信装置１では、２つのＥＸＯＲ８０、９０と、２つのインバータ１００、１１０を使用し、上述の３つの制御ラインの信号に基づく信号をＲＦＳＷ２０、３０の制御端子Ｖｃ１、Ｖｃ２に接続している。
【００２９】
ＲＦＩＣ１０のＴＲＸラインとＤＣＮＴラインの信号はＥＸＯＲ８０に入力されている。ＥＸＯＲ８０の出力（ＴＲＸラインとＤＣＮＴラインの信号の排他的論理和）は、ＲＦＳＷ２０のＶｃ２に接続されている。また、ＥＸＯＲ８０の出力は、インバータ１００を介してＲＦＳＷ２０のＶｃ１にも接続されている。
【００３０】
ＲＦＩＣ１０のＡＮＴラインとＤＣＮＴラインの信号は、ＥＸＯＲ９０に入力されている。ＥＸＯＲ９０の出力（ＡＮＴラインとＤＣＮＴラインの排他的論理和）は、Ｖｃ２に入力されている。また、ＥＸＯＲ９０の出力は、インバータ１１０を介してＲＦＳＷ３０のＶｃ１にも接続されている。
【００３１】
以下では、ＴＲＸライン、ＡＮＴライン、ＤＣＮＴラインの状態（レベル）をＨ（Ｈレベル）又はＬ（Ｌレベル）のいずれかであるものとして説明する。そして、２つのＥＸＯＲ８０、９０と、２つのインバータ１００、１１０も入力信号に応じた演算結果のレベル（Ｈレベル又はＬレベル）を出力するものとする。
【００３２】
ＲＦＳＷ２０、３０は、２つの制御端子Ｖｃ１、Ｖｃ２が、Ｖｃ１＝Ｌ、Ｖｃ２＝Ｈのとき、入出力ポートをストレートに接続（ＡＮＴ１とＯＵＴ１、ＡＮＴ２とＯＵＴ２の組が接続）し、逆にＶｃ＝Ｈ、Ｖｃ２＝Ｌのときは入出力ポートをクロスに接続（ＡＮＴ１とＯＵＴ２、ＡＮＴ２とＯＵＴ１の組が接続）する。
【００３３】
ＲＦＩＣ１０は、ＤＣＮＴライン、ＡＮＴライン、及びＴＲＸラインに出力するレベルの組合せで、ＲＦＳＷ２０、３０の接続状態（ストレート接続又はクロス接続）の切替えを行うことで、無線信号送受信時（電波送信時又は電波受信時）における、使用アンテナ（サブのアンテナ４０又はメインのアンテナ５０のいずれかの選択）、及びＢＰＦ１３０使用の有無（ＢＰＦ１３０を使用して信号送受信を行うか否かの選択）を制御する。
【００３４】
この実施形態の無線通信装置１において、ＲＦＩＣ１０は、制御部３００（ＣＰＵ６０）の制御に応じて、ＤＣＮＴライン、ＡＮＴライン、及びＴＲＸラインの出力を行うものとする。すなわち、この実施形態の無線通信装置１では、無線信号送受信時の使用アンテナ及びＢＰＦ１３０使用の有無について、制御部３００（ＣＰＵ６０）が判断するものとして説明する。制御部３００（ＣＰＵ６０）が、ＲＦＩＣ１０にアクセス（制御信号の供給及び各種状態の参照等）する具体的な信号線（制御ライン）については限定されないものである。具体的には例えば、ＲＦＩＣ１０と制御部３００（ＣＰＵ６０）との間で、ＳＰＩ（Ｓｅｒｉａｌ  Ｐｅｒｉｐｈｅｒａｌ  Ｉｎｔｅｒｆａｃｅ）信号の制御ラインを設けて、制御部３００（ＣＰＵ６０）がＲＦＩＣ１０にアクセスする構成としてもよい。
【００３５】
２つのＥＸＯＲ８０、９０と、２つのインバータ１００、１１０の電源端子には、ＦＥＴ１４０を介して電源ＶＤＤが接続されている。このＦＥＴ１４０は制御部３００（ＣＰＵ６０）のＧＰＩＯ（Ｇｅｎｅｒａｌ  Ｐｕｒｐｏｓｅ  Ｉｎｐｕｔ／Ｏｕｔｐｕｔ）端子に接続されている。すなわち、２つのＥＸＯＲ８０、９０と、２つのインバータ１００、１１０の動作は、制御部３００（ＣＰＵ６０）の制御により駆動される構成となっている。具体的には、制御部３００（ＣＰＵ６０）は、通信を行う際（無線信号の送受信時）にＦＥＴ１４０をＯＮに制御して、２つのＥＸＯＲ８０、９０と、２つのインバータ１００、１１０を起動する。
【００３６】
制御部３００（ＣＰＵ６０）は、上述の通り、無線信号送受信時の使用アンテナ及びＢＰＦ１３０使用の有無について判断し、ＲＦＩＣ１０（ＲＦＳＷ２０、３０）を制御する。
【００３７】
すなわち、制御部３００（ＣＰＵ６０）は、予めプログラム上に定義されたポリシー（予めプログラミングされたアルゴリズム）に基づいて、無線信号送受信時の使用アンテナ及びＢＰＦ１３０使用の有無について判断し、ＲＦＩＣ１０（ＲＦＳＷ２０、３０）を制御する。
【００３８】
制御部３００（ＣＰＵ６０）は、無線信号送信時及び無線信号受信時に、プログラム７１に従って、いずれのアンテナ（サブのアンテナ４０又はメインのアンテナ５０のいずれか）を使用するか判断する。制御部３００（ＣＰＵ６０）は、例えば、無線信号受信時は、￥アンテナダイバーシティ動作（電波状況の良いアンテナを選択して受信する動作）に従って、アンテナ４０、５０のいずれかを無線信号受信用のアンテナとして選択するようにしてもよい。この実施形態の例では、制御部３００（ＣＰＵ６０）は、例えば、無線信号受信時は、アンテナごとにＲＳＳＩ値（受信電波強度）を取得し、ＲＳＳＩ値の大きい方のアンテナを選択するものとする。さらに、この実施形態の例では、制御部３００（ＣＰＵ６０）は、無線信号送信時は、常にメインのアンテナ５０を選択するものとする。
【００３９】
また、制御部３００（ＣＰＵ６０）は、無線信号送信時及び無線信号受信時に、プログラム７１に従って、ＢＰＦ１３０使用の有無について判断する。この実施形態の例では、制御部３００（ＣＰＵ６０）は、無線信号送信時及び無線信号受信時の両方についてＢＰＦ１３０を使用しないと判断するパターン（以下、このパターンを「第１の選択パターン」と呼ぶ）、無線信号送信時及び無線信号受信時の両方についてＢＰＦ１３０を使用すると判断するパターン（以下、このパターンを「第２の選択パターン」と呼ぶ）、無線信号受信時のみＢＰＦ１３０を使用する（無線信号送信時にはＢＰＦ１３０を使用しない）と判断するパターン（以下、このパターンを「第３の選択パターン」と呼ぶ）のいずれかの選択パターンを設定し、設定された選択パターンに従ってＢＰＦ１３０使用の有無を判断するものとする。制御部３００（ＣＰＵ６０）は、動的に選択パターンを変更するようにしてもよいし、ユーザの設定等によりいずれかの選択パターンを適用するようにしてもよい。
【００４０】
この実施形態の例では、制御部３００（ＣＰＵ６０）は、妨害波の有無（妨害波の強度）、及び、第３世代携帯無線機の電波と９２０ＭＨｚ帯特定小電力無線局の電波とが混在する環境であるか否か（第３世代携帯無線機の波が送受信する波に混入する環境であるか否か）を考慮して、適用する選択パターンを変更するものとする。この実施形態の例では、制御部３００（ＣＰＵ６０）は、妨害波が無いと判定できる場合（妨害波の強度が所定未満の場合）には、第１の選択パターン（無線信号送信時及び無線信号受信時の両方についてＢＰＦ１３０を使用しないパターン）を選択するものとする。また、この実施形態の例では、制御部３００（ＣＰＵ６０）は、妨害波が有ると判定され（妨害波の強度が所定以上）、かつ、第３世代携帯無線機の電波と９２０ＭＨｚ帯特定小電力無線局の電波とが混在する場合には、第２の選択パターン（無線信号送信時及び無線信号受信時の両方についてＢＰＦ１３０を使用するパターン）を適用するものとする。さらに、この実施形態の例では、制御部３００（ＣＰＵ６０）は、妨害波が有ると判定され（妨害波の強度が所定以上）、かつ、第３世代携帯無線機の電波と９２０ＭＨｚ帯特定小電力無線局の電波とが混在しない場合には、第３の選択パターン（無線信号受信時のみＢＰＦ１３０を使用するパターン）を選択するものとする。
【００４１】
制御部３００（ＣＰＵ６０）において、第３世代携帯無線機の電波と９２０ＭＨｚ帯特定小電力無線局の電波とが混在する環境であるか否かを判断する方法については限定されないものである。この実施形態では、制御部３００では、メモリ７０に、第３世代携帯無線機の電波と９２０ＭＨｚ帯特定小電力無線局の電波とが混在する環境であるか否かを表すフラグＦが保持されているものとして説明する。この実施形態の例では、フラグＦが「０」の場合、第３世代携帯無線機の電波と９２０ＭＨｚ帯特定小電力無線局の電波とが混在する環境でないことを示し、フラグＦが「１」の場合第３世代携帯無線機の電波と９２０ＭＨｚ帯特定小電力無線局の電波とが混在する環境であることを示すものとする。制御部３００において、フラグＦを設定する方式については限定されないものである。例えば、制御部３００は、無線通信装置１の設置時等にユーザ（例えば、設置作業者等）の操作によりフラグＦの値を変更するようにしてもよいし、通信により他の通信装置からフラグＦの変更を受け付けるようにしてもよい。
【００４２】
言い換えると、フラグＦは、無線信号送信時にＢＰＦ１３０を使用するか否かを示す設定値として機能する。第３世代携帯無線機の電波と９２０ＭＨｚ帯特定小電力無線局の電波とが混在しない環境であれば、無線信号送信時（電波送信時）にＢＰＦ１３０を使用することのメリットは少なく、ＢＰＦ１３０を通過させる際の損失を発生させるだけとなる。
【００４３】
以上のようなポリシーに基づいて、制御部３００（ＣＰＵ６０）が、ＲＦＩＣ１０を制御した場合、ＲＦＩＣ１０が出力する制御信号（ＤＣＮＴライン、ＡＮＴライン、及びＴＲＸライン）のレベルと、ＲＦＳＷ２０、３０に供給される制御信号のレベル（Ｖｃ１、及びＶｃ２）の関係の例を状態遷移表の形式で表すと図３のようになる。図３では、制御部３００（ＣＰＵ６０）が選択した選択パターンごとの状態遷移を示している。
【００４４】
例えば、図３に示すように、制御部３００（ＣＰＵ６０）が、無線信号送信時に第１の選択パターンを適用した場合（ＢＰＦ１３０を用いずに無線信号送信する場合）、各信号のレベルは、「ＤＣＮＴ＝Ｌ、ＡＮＴ＝Ｌ、ＴＲＸ＝Ｈ」となる。また、例えば、制御部３００（ＣＰＵ６０）が、メインのアンテナ５０を用いて無線信号受信する際に、第１の選択パターンを適用した場合（ＢＰＦ１３０を用いずに無線信号受信する場合）、各信号のレベルは、「ＤＣＮＴ＝Ｌ、ＡＮＴ＝Ｌ、ＴＲＸ＝Ｌ」となる。さらにまた、例えば、制御部３００（ＣＰＵ６０）が、無線信号送信時に、第２の選択パターンを適用した場合（ＢＰＦ１３０を用いて無線信号送信する場合）、各信号のレベルは、「ＤＣＮＴ＝Ｌ、ＡＮＴ＝Ｈ、ＴＲＸ＝Ｌ」となる。また、例えば、制御部３００（ＣＰＵ６０）が、メインのアンテナ５０を用いて無線信号受信する際に、第２の選択パターンを適用した場合（ＢＰＦ１３０を用いて無線信号受信する場合）、各信号のレベルは、「ＤＣＮＴ＝Ｌ、ＡＮＴ＝Ｈ、ＴＲＸ＝Ｈ」となる。
【００４５】
次に、制御部３００（ＣＰＵ６０）が、ＲＦＩＣ１０を用いて妨害波の強度を検知する方式について説明する。
【００４６】
通常、９２０ＭＨｚ帯の特定小電力無線局は、通信をする際、キャリアセンス動作（あらかじめ自ノードが送信しようとする周波数やチャネルの空き状況を検知して、同一周波数で複数の搬送波を送信しないよう、通信中であれば一定時間たってから再度通信を試みる機能の動作）を実行する。この際、９２０ＭＨｚ帯の特定小電力無線局は、チャネルが空きか否かについて、ＲＳＳＩ値（受信電界強度）に閾値（−８０ｄＢｍなど）を設けて判定する。
【００４７】
そこで、この実施形態の無線通信装置１（制御部３００）では、上述のキャリアセンス動作と同様に、ＲＦＩＣ１０で受信した無線信号のＲＳＳＩ値に応じて妨害波の有無（妨害波の強度）を判定するものとする。
【００４８】
図２は、ＲＦＩＣ１０内部の受信系の機能的構成について示したブロック図である。
【００４９】
図２に示すように、この実施形態のＲＦＩＣ１０は、無線信号の受信系に係る構成要素として、ＬＮＡ（ローノイズアンプ）２０１、ＭＩＸ（混合器）２０２、ＢＰＦ（バンドパスフィルタ）２０３、ＶＣＯ（発振器）２０４、Ｌｉｍｉｔｅｒ（リミッタ）２０５、ＲＳＳＩ検知手段２０６を有しているものとする。また、ＲＳＳＩ検知手段２０６は、希望波を抽出するためのＢＰＦ（バンドパスフィルタ）２０６ａを有している。
【００５０】
一般的にＲＦＩＣでは、広帯域の信号を受信するため、受信した希望波及び妨害波はそのままのレベルで入力される。したがって、本来希望波のレベルが高いと、ＬＮＡ２０１の利得が下がる動作をするが、妨害波に対しても同じ動作となる。そして、妨害波によりＬＮＡ２０１の利得が下がった場合、希望波レベルが低いと、ＲＳＳＩ検知手段２０６内のＢＰＦ２０６ａで妨害波は抑圧されるが、希望波は低いままなので、検知されるＲＳＳＩ値も低い値となる。
【００５１】
ＲＦＩＣ１０では、上述のようなＲＳＳＩ値の検知特性があるため、ＲＦＩＣ１０の入力波に妨害波が入り感度抑圧を受けている場合は、ＲＳＳＩ検知手段２０６で検知されるＲＳＳＩ値は低く出力される傾向となる。したがって、無線通信装置１では、ＲＦＩＣ１０で検知されるＲＳＳＩ値に基づいて妨害波の有無を判定することができる。そこで、この実施形態の制御部３００は、ＲＦＩＣ１０で検知されたＲＳＳＩ値が所定の閾値Ｔｈ未満の場合、妨害波が有ると判定するものとする。ＲＳＳＩの閾値Ｔｈとしては、例えば−１００ｄＢｍ程度の値を適用することができる。
【００５２】
以上のように、無線通信装置１では、閾値Ｔｈを設けることによりソフトウェア的に制御部３００で妨害波の有無を判定することができる。
【００５３】
（Ａ−２）実施形態の動作
次に、以上のような構成を有するこの実施形態の無線通信装置１の動作を説明する。
【００５４】
図４は、無線通信装置１の通信開始時（例えば、起動時やスリープ状態から復帰するタイミング等）に、制御部３００（ＣＰＵ６０）が、上述の第１〜第３の選択パターンのいずれかを決定し、ＲＦＩＣ１０が制御部３００（ＣＰＵ６０）の決定した選択パターンで無線信号送受信を開始するまでの動作の例について示したフローチャートである。
【００５５】
まず、無線通信装置１が、通信を開始（例えば、起動時やスリープ状態から復帰等に伴い通信を開始）したものとする。
【００５６】
無線通信装置１が通信を開始すると、ＲＦＩＣ１０がキャリアセンス動作を開始する（Ｓ１０１）。このとき、制御部３００（ＣＰＵ６０）は、ＲＦＩＣ１０のＲＳＳＩ検知手段２０６で検知されるＲＳＳＩ値を監視し、妨害波の有無のチェックを開始する。例えば、制御部３００（ＣＰＵ６０）は、所定時間ＲＳＳＩ値を監視した結果に基づいて、妨害波の有無のチェックを行うようにしてもよい。
【００５７】
次に、制御部３００（ＣＰＵ６０）は、妨害波の有無の判断結果を確認する（Ｓ１０２）。制御部３００（ＣＰＵ６０）は、妨害波が有ると判断した場合（妨害電波の強度が所定以上と判断した場合）後述するステップＳ１０３に移行し、妨害波が無いと判断した場合は後述するステップＳ１０４に移行する。
【００５８】
上述のステップＳ１０２で妨害波が無いと判断された場合、制御部３００（ＣＰＵ６０）は、第１の選択パターンを適用すると判断する。そして、制御部３００（ＣＰＵ６０）は、第１の選択パターンで無線信号の送受信を行うようにＲＦＩＣ１０に対する制御（ＲＦＳＷ２０、３０に対する制御）を開始する（Ｓ１０４）。
【００５９】
上述のステップＳ１０２で妨害波が有ると判断された場合、制御部３００（ＣＰＵ６０）は、第３世代携帯無線機の電波と９２０ＭＨｚ帯特定小電力無線局の電波とが混在する環境であるか否かを判断する（Ｓ１０３）。この実施形態の例では、制御部３００（ＣＰＵ６０）は、メモリ７０に設定されたフラグＦの値に基づいて、第３世代携帯無線機の電波と９２０ＭＨｚ帯特定小電力無線局の電波とが混在する環境であるか否かを判断するものとする。
【００６０】
そして、第３世代携帯無線機の電波と９２０ＭＨｚ帯特定小電力無線局の電波とが混在する環境であると判断された場合、制御部３００（ＣＰＵ６０）は、第２の選択パターンを適用すると判断する。そして、制御部３００（ＣＰＵ６０）は、第２の選択パターンで無線信号の送受信を行うようにＲＦＩＣ１０（ＲＦＳＷ２０、３０に対する制御）に対する制御を開始する（Ｓ１０５）。
【００６１】
一方、第３世代携帯無線機の電波と９２０ＭＨｚ帯特定小電力無線局の電波とが混在する環境ではない判断された場合、制御部３００（ＣＰＵ６０）は、第３の選択パターンを適用すると判断する。そして、制御部３００（ＣＰＵ６０）は、第３の選択パターンで無線信号の送受信を行うようにＲＦＩＣ１０（ＲＦＳＷ２０、３０に対する制御）に対する制御を開始する（Ｓ１０６）。
【００６２】
（Ａ−３）実施形態の効果
この実施形態によれば、以下のような効果を奏することができる。
【００６３】
この実施形態の無線通信装置１では、ＲＦＩＣ１０とアンテナ４０、５０との間に、ＢＰＦ１３０が挿入された第１の経路と、ＢＰＦ１３０が挿入されない第２の経路を設け、送受信時に２つの経路を切替可能としている。これにより、この実施形態の無線通信装置１では、妨害波となり得ない周波数帯（特定の周波数帯）の信号のみを通過させるＢＰＦ１３０を、送信時と受信時で共用できる構成としたため、妨害波への対応が可能な回路を低コストで実現させることが可能となった。また、この実施形態の無線通信装置１では、送信時及び受信時に、ＢＰＦ１３０の使用有無を選択可能とすることで、ＢＰＦ１３０の通過損失分の受信感度低下や送信電力低下が常時発生するのを防ぎ、効率的な無線信号の送受信を行うことができる。
【００６４】
（Ｂ）他の実施形態
本発明は、上記の実施形態に限定されるものではなく、以下に例示するような変形実施形態も挙げることができる。
【００６５】
（Ｂ−１）上記の実施形態では、ＲＦＩＣ１０と制御部３００（ＣＰＵ６０）とは別個の部品であるものとして説明したが、ＲＦＩＣ１０と制御部３００（ＣＰＵ６０）とを一体とした部品（例えば、１つのパッケージＬＳＩ）を用いて構成するようにしてもよい。
【００６６】
（Ｂ−２）上記の実施形態の無線通信装置１では、アンテナ部として２つのアンテナを備えているが、アンテナ部として備えるアンテナの数は限定されないものである。すなわち、無線通信装置１において、備えるアンテナの数は１つでも良いし３つ以上としてもよい。
【００６７】
（Ｂ−３）上記の実施形態では、ＲＦＩＣ１０とアンテナ部（アンテナ４０、５０）との間で、ＢＰＦ１３０が挿入された第１の経路と、ＢＰＦ１３０が挿入されない第２の経路を切替える切替手段として、ＲＦＳＷ２０、３０、ＥＸＯＲ８０、９０、及びインバータ１００、１１０を用いた構成を例示したが、上述の切替手段の具体的な回路構成については上述の例に限定されないものであり、種々の回路の組合せを適用することができる。
【００６８】
（Ｂ−４）上記の実施形態では、無線信号送信時にＢＰＦ１３０を使用するか否かを示す設定値を保持する設定値保持手段（第３世代携帯無線機の電波と９２０ＭＨｚ帯特定小電力無線局の電波とが混在しない環境であるか否かの設定値を保持する手段）として、メモリ７０上のデータであるフラグＦを適用する例について説明したが、設定値保持手段の具体的な構成はこれに限定されない。例えば、ハードウェア的なスイッチ（例えば、ディップスイッチやジャンパスイッチ等）により、設定値保持手段を構成するようにしてもよい。
【００６９】
（Ｂ−５）上記の実施形態では、制御部３００（ＣＰＵ６０）及びＲＦＩＣ１０により、ＲＦＳＷ２０、３０の接続状態を切替える制御を行う切替制御手段を構成しているが、制御部３００（ＣＰＵ６０）だけで切替制御手段を構成するようにしてもよい。例えば、制御タイミングがＴＲＸ信号やＡＮＴ信号と同等に出力出来れば、制御部３００（ＣＰＵ６０）から直接ＲＦＳＷ２０、３０に制御信号を入力するようにしてもよい。
【符号の説明】
【００７０】
１…無線通信装置、１０…ＲＦＩＣ、２０、３０…ＲＦＳＷ、４０、５０…アンテナ、６０…ＣＰＵ、７０…メモリ、７１…プログラム、Ｆ…フラグ、８０、９０…ＥＸＯＲ（排他的論理和回路）、１００、１１０…インバータ、１２０…ＬＰＦ、１３０…ＢＰＦ（バンドパスフィルタ）、１４０…ＦＥＴ、３００…制御部、２０１…ＬＮＡ（ローノイズアンプ）、２０２…ＭＩＸ（混合器）、２０３…ＢＰＦ（バンドパスフィルタ）、２０４…ＶＣＯ（発振器）、２０５…Ｌｉｍｉｔｅｒ（リミッタ）、２０６…ＲＳＳＩ検知手段、２０６ａ…ＢＰＦ（バンドパスフィルタ）。
【図１】
2017046237.tif 000003
【図２】
2017046237.tif 000004
【図３】
2017046237.tif 000005
【図４】
2017046237.tif 000006
【図５】
2017046237.tif 000007
【図６】
2017046237.tif 000008